【手続補正書】
【提出日】平成30年12月21日(2018.12.21)
【手続補正１】
【補正対象書類名】特許請求の範囲
【補正対象項目名】全文
【補正方法】変更
【補正の内容】
【特許請求の範囲】
【請求項１】
コンテンツプラットフォームに係る情報処理装置の制御方法であって、
コンテンツに関するコンテンツ情報をユーザの端末装置に送信するコンテンツ情報送信ステップと、
前記ユーザの端末装置において進行する前記コンテンツのコンテンツ状況を、配信プラットフォームを通じて１以上の他のユーザの端末装置に配信するステップと、
前記ユーザの端末装置から送信された生成リクエストに応じて、前記１以上の他のユーザの端末装置に対する、前記コンテンツプラットフォームへのアクセス情報を生成する生成ステップと、
前記アクセス情報を前記ユーザの端末装置に送信するステップと、
前記ユーザの端末装置から前記配信プラットフォームに係る配信情報処理装置を介して配信されたアクセス情報に応じて前記コンテンツプラットフォームへアクセスした他のユーザの端末装置に、前記コンテンツに関する第１の特典情報を関連付けるステップとを含む
情報処理装置の制御方法。
【請求項２】
前記コンテンツプラットフォームへアクセスした他のユーザの端末装置が第１の所定の条件を満たした場合、前記ユーザに、前記コンテンツに関する第２の特典情報を関連付けるステップをさらに含むことを特徴とする、
請求項１に記載の情報処理装置の制御方法。
【請求項３】
配信プラットフォームに係る配信情報処理装置から、前記コンテンツ状況に対して前記他のユーザの端末装置から送信されたアクションに関する、アクション情報を受信するアクション情報受信ステップと、
前記アクション情報に基づき、前記アクションが第２の所定の条件を満たす場合に、前記コンテンツに関する第３の特典情報を、前記ユーザに関連付ける関連付けステップとを含む、
請求項１又は２に記載の情報処理装置の制御方法。
【請求項４】
前記コンテンツ状況を配信する端末装置のユーザとは異なるユーザの端末装置に対して前記コンテンツに関するコンテンツ情報が送信されており、前記異なるユーザが前記配信プラットフォームを通じて前記コンテンツのコンテンツ状況を配信していない場合に、前記異なるユーザに対して前記配信プラットフォームの利用を促す通知を送信するステップを含む
請求項１〜３のいずれか一項に記載の情報処理装置の制御方法。
【請求項５】
前記関連付けステップによって関連付けられた前記第３の特典情報を、前記ユーザの端末装置に送信するステップをさらに含むことを特徴とする、
請求項３に記載の情報処理装置の制御方法。
【請求項６】
前記配信情報処理装置から、前記配信プラットフォームにおける前記ユーザの識別情報を受信するステップと、
前記配信プラットフォームにおける前記ユーザの識別情報と、前記コンテンツプラットフォームにおける前記ユーザの識別情報とを関連付けるステップと、
前記配信プラットフォームにおける前記ユーザの識別情報に基づき、前記配信情報処理装置に、前記ユーザの端末装置におけるコンテンツ状況に対するアクション情報の送信リクエストを送信するアクション情報リクエスト送信ステップとをさらに含むことを特徴とする、
請求項１〜５のいずれか一項に記載の情報処理装置の制御方法。
【請求項７】
前記第２の所定の条件は、前記アクションの総数が所定の閾値を超えたか否かを含むことを特徴とする、
請求項３に記載の情報処理装置の制御方法。
【請求項８】
前記アクション情報リクエスト送信ステップにおける前記アクション情報の送信リクエストの送信、及び、前記アクション情報受信ステップにおける前記アクション情報の受信は、アプリケーションプログラムインターフェース（ＡＰＩ）を介して行われることを特徴とする、
請求項６に記載の情報処理装置の制御方法。
【請求項９】
前記コンテンツプラットフォームはゲームプラットフォームであり、前記コンテンツはゲームであることを特徴とする、
請求項１〜８のいずれか一項に記載の情報処理装置の制御方法。
【請求項１０】
コンテンツプラットフォーム係る情報処理装置であって、
コンテンツに関するコンテンツ情報をユーザの端末装置に送信するコンテンツ情報送信部と、
前記ユーザの端末装置において進行する前記コンテンツのコンテンツ状況を、配信プラットフォームを通じて１以上の他のユーザの端末装置に配信する配信部と、
前記ユーザの端末装置から送信された生成リクエストに応じて、前記１以上の他のユーザの端末装置に対する、前記コンテンツプラットフォームへのアクセス情報を生成する生成部と、
前記アクセス情報を前記ユーザの端末装置に送信する送信部と、
前記ユーザの端末装置から前記配信プラットフォームに係る配信情報処理装置を介して配信されたアクセス情報に応じて前記コンテンツプラットフォームへアクセスした他のユーザの端末装置に、前記コンテンツに関する第１の特典情報を関連付ける関連付け部とを含む
情報処理装置の制御方法。
【請求項１１】
コンテンツプラットフォームに係る情報処理装置に、
コンテンツに関するコンテンツ情報をユーザの端末装置に送信するコンテンツ情報送信機能と、
前記ユーザの端末装置において進行する前記コンテンツのコンテンツ状況を、配信プラットフォームを通じて１以上の他のユーザの端末装置に配信する機能と、
前記ユーザの端末装置から送信された生成リクエストに応じて、前記１以上の他のユーザの端末装置に対する、前記コンテンツプラットフォームへのアクセス情報を生成する生成機能と、
前記アクセス情報を前記ユーザの端末装置に送信する機能と、
前記ユーザの端末装置から前記配信プラットフォームに係る配信情報処理装置を介して配信されたアクセス情報に応じて前記コンテンツプラットフォームへアクセスした他のユーザの端末装置に、前記コンテンツに関する第１の特典情報を関連付ける機能と、
を実現させるプログラム。
【手続補正２】
【補正対象書類名】明細書
【補正対象項目名】０００７
【補正方法】変更
【補正の内容】
【０００７】
上記の問題を解決すべく、本発明の一実施形態に係るコンテンツプラットフォームに係る情報処理装置の制御方法は、コンテンツに関するコンテンツ情報をユーザの端末装置に送信するコンテンツ情報送信ステップと、ユーザの端末装置において進行するコンテンツのコンテンツ状況を、配信プラットフォームを通じて１以上の他のユーザの端末装置に配信するステップと、ユーザの端末装置から送信された生成リクエストに応じて、１以上の他のユーザの端末装置に対する、コンテンツプラットフォームへのアクセス情報を生成する生成ステップと、アクセス情報をユーザの端末装置に送信するステップと、ユーザの端末装置から配信プラットフォームに係る配信情報処理装置を介して配信されたアクセス情報に応じてコンテンツプラットフォームへアクセスした他のユーザの端末装置に、コンテンツに関する第１の特典情報を関連付けるステップとを含む。
【手続補正３】
【補正対象書類名】明細書
【補正対象項目名】０００８
【補正方法】変更
【補正の内容】
【０００８】
本発明の一実施形態に係る情報処理装置の制御方法は、配信プラットフォームに係る配信情報処理装置から、コンテンツ状況に対して他のユーザの端末装置から送信されたアクションに関する、アクション情報を受信するアクション情報受信ステップと、アクション情報に基づき、アクションが第２の所定の条件を満たす場合に、コンテンツに関する第３の特典情報を、ユーザに関連付ける関連付けステップとを含む。
本発明の一意実施形態に係る情報処理装置の制御方法は、コンテンツ状況を配信する端末装置のユーザとは異なるユーザの端末装置に対してコンテンツに関するコンテンツ情報が送信されており、異なるユーザが配信プラットフォームを通じてコンテンツのコンテンツ状況を配信していない場合に、異なるユーザに対して配信プラットフォームの利用を促す通知を送信するステップを含む。
本発明の一実施形態に係る情報処理装置の制御方法は、関連付けステップによって関連付けられた第３の特典情報を、ユーザの端末装置に送信するステップをさらに含む。
【手続補正４】
【補正対象書類名】明細書
【補正対象項目名】００１０
【補正方法】変更
【補正の内容】
【００１０】
本発明の一実施形態に係る情報処理装置の制御方法において、第２の所定の条件は、アクションの総数が所定の閾値を超えたか否かを含む。
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】変更
【補正の内容】
【００１２】
また、本発明の一実施形態に係る情報処理装置の制御方法は、コンテンツプラットフォームへアクセスした他のユーザの端末装置が第１の所定の条件を満たした場合、ユーザに、コンテンツに関する第２の特典情報を関連付けるステップをさらに含む。
【手続補正７】
【補正対象書類名】明細書
【補正対象項目名】００１５
【補正方法】変更
【補正の内容】
【００１５】
また、本発明の一実施形態に係るコンテンツプラットフォーム係る情報処理装置は、
コンテンツに関するコンテンツ情報をユーザの端末装置に送信するコンテンツ情報送信部と、ユーザの端末装置において進行するコンテンツのコンテンツ状況を、配信プラットフォームを通じて１以上の他のユーザの端末装置に配信する配信部と、ユーザの端末装置から送信された生成リクエストに応じて、１以上の他のユーザの端末装置に対する、コンテンツプラットフォームへのアクセス情報を生成する生成部と、アクセス情報をユーザの端末装置に送信する送信部と、ユーザの端末装置から配信プラットフォームに係る配信情報処理装置を介して配信されたアクセス情報に応じてコンテンツプラットフォームへアクセスした他のユーザの端末装置に、コンテンツに関する第１の特典情報を関連付ける関連付け部とを含む。
【手続補正８】
【補正対象書類名】明細書
【補正対象項目名】００１６
【補正方法】変更
【補正の内容】
【００１６】
また、本発明の一実施形態に係るプログラムは、コンテンツプラットフォームに係る情報処理装置に、コンテンツに関するコンテンツ情報をユーザの端末装置に送信するコンテンツ情報送信機能と、ユーザの端末装置において進行するコンテンツのコンテンツ状況を、配信プラットフォームを通じて１以上の他のユーザの端末装置に配信する機能と、ユーザの端末装置から送信された生成リクエストに応じて、１以上の他のユーザの端末装置に対する、コンテンツプラットフォームへのアクセス情報を生成する生成機能と、アクセス情報をユーザの端末装置に送信する機能と、ユーザの端末装置から配信プラットフォームに係る配信情報処理装置を介して配信されたアクセス情報に応じてコンテンツプラットフォームへアクセスした他のユーザの端末装置に、コンテンツに関する第１の特典情報を関連付ける機能と、を実現させる。